(57)【要約】【課題】製品の生産ラインにおいて、生産性の向上を図るための生産管理システム及び生産管理方法を提供する。【解決手段】画質調整装置２０の制御部２１は、調整対象の液晶パネル１０のＲＯＭに個体識別子を記録する。そして、制御部２１は、測定処理、補正データの生成処理を実行する。次に、制御部２１は、個体識別子に関連付けて、補正情報管理サーバ４０への補正データの登録処理を実行する。また、書込装置３０の制御部３１は、個体識別子の読み込み処理を実行する。そして、ＲＯＭに個体識別子が記録されており、未処理の補正データが登録されている場合、書込装置３０の制御部３１は、補正情報管理サーバ４０から補正データの取得処理を実行する。そして、書込装置３０の制御部３１は、調整対象の液晶パネル１０のＲＯＭへの補正データの書き込み処理を実行する。【選択図】図１
2012053579.tif 000002
【特許請求の範囲】
【請求項１】
調整対象製品についての補正情報を作成する補正情報作成手段と、
前記補正情報を、調整対象製品に書き込む補正情報書込手段と、
個体識別子に関連付けられた補正情報を記憶する補正情報管理手段とを備えた生産管理システムであって、
前記補正情報作成手段が、
前記調整対象製品についての個体識別子を特定する手段と、
前記調整対象製品の特性情報を取得する手段と、
前記特性情報に対応した補正情報を、前記調整対象製品の個体識別子に関連付けて補正情報管理手段に記録する手段とを備え、
前記補正情報書込手段が、
前記調整対象製品についての個体識別子を特定する手段と、
前記補正情報管理手段から、前記個体識別子に関連付けられた補正情報を取得し、前記調整対象製品のメモリに書き込む手段と
を備えたことを特徴とする生産管理システム。
【請求項２】
前記補正情報作成手段が、前記調整対象製品に対して個体識別子を付与し、前記調整対象製品のメモリに書き込むことにより、調整対象製品についての個体識別子を特定し、
前記補正情報書込手段が、前記調整対象製品のメモリから個体識別子を取得することにより、調整対象製品についての個体識別子を特定することを特徴とする請求項１に記載の生産管理システム。
【請求項３】
前記補正情報書込手段が、固有識別子がメモリに記録されていない調整対象製品を検知した場合には、アラームを出力することを特徴とする請求項２に記載の生産管理システム。
【請求項４】
前記補正情報管理手段は、個体識別子に対して、補正情報の書込済情報を更に記憶し、
前記補正情報書込手段が、
調整対象製品に補正情報を書き込んだ場合には、この調整対象製品の個体識別子に対して書込済情報を前記補正情報管理手段に記録し、
新たな調整対象製品のメモリから、前記補正情報管理手段において書込済情報が付与された個体識別子を取得した場合には、アラームを出力することを特徴とする請求項１〜３のいずれか一つに記載の生産管理システム。
【請求項５】
前記補正情報管理手段は、補正情報の登録時刻を更に記憶し、
前記補正情報管理手段が、補正情報の書込実績が登録されない個体識別子についての登録時刻からの経過時間を算出し、
前記経過時間が基準時間を越えた個体識別子を抽出した場合には、アラームを出力することを特徴とする請求項４に記載の生産管理システム。
【請求項６】
個体識別子に関連付けられた補正情報を記憶する補正情報管理手段と、
調整対象製品についての補正情報を作成する補正情報作成手段と、
前記補正情報を、調整対象製品に書き込む補正情報書込手段とを備えた生産管理システムを用いて、生産管理を行なう方法であって、
前記補正情報作成手段が、
前記調整対象製品についての個体識別子を特定する段階と、
前記調整対象製品の特性情報を取得する段階と、
前記特性情報に対応した補正情報を、前記調整対象製品の個体識別子に関連付けて補正情報管理手段に記録する段階とを実行し、
前記補正情報書込手段が、
前記調整対象製品についての個体識別子を特定する手段と、
前記補正情報管理手段から、前記個体識別子に関連付けられた補正情報を取得し、前記調整対象製品のメモリに書き込む手段と
を実行することを特徴とする生産管理方法。
【発明の詳細な説明】
【技術分野】
【０００１】
本発明は、製品の生産ラインにおいて、生産性の向上を図るための生産管理システム及び生産管理方法に関する。
【背景技術】
【０００２】
今日、液晶パネル等のディスプレイの製造ラインは、均一な品質を実現できるように構築されている。しかし、このような製造ラインにおいても、個々のディスプレイには、製造バラツキが発生する。そこで、各ディスプレイにおいて、よりよい画像を出力できるように調整するための技術が検討されている（例えば、特許文献１参照。）。この特許文献１に記載の技術では、画質調整装置の制御部が、テストパターンを生成し、液晶パネルに供給し、撮影カメラから出力画像を取得する。そして、出力画像データについてバンドパスフィルタリングを行ない、補正値を算出する。そして、すべての基準階調について画像補正テーブルの算出を終了した場合、補正回路のＲＯＭに書き込む。液晶パネルに画像を表示するための画像信号は、ＲＯＭに記録された画像補正テーブルを参照し、線形補間された補正値を算出する。
【先行技術文献】
【特許文献】
【０００３】
【特許文献１】特開２０１０−５７１４９号公報（第１頁、図１）
【発明の概要】
【発明が解決しようとする課題】
【０００４】
例えば、特許文献１に記載の補正データの生成方法においては、表示データの測定、補正データの作成、補正データの書込というプロセスが必要になる。この場合、それぞれのプロセスの所要時間が異なる。従って、一連のプロセスを同時期に実行する場合には、それぞれのプロセスを実行するために必要なリソースを、他のプロセスを実行している場合にも占有することになる。このため、リソースを有効に活用することができず、生産性の向上を図ることが困難である。
【０００５】
本発明は、上記課題を解決するためになされたものであり、その目的は、製品の生産ラインにおいて、生産性の向上を図るための生産管理システム及び生産管理方法を提供することにある。
【課題を解決するための手段】
【０００６】
上記問題点を解決するために、請求項１に記載の発明は、調整対象製品についての補正情報を作成する補正情報作成手段と、前記補正情報を、調整対象製品に書き込む補正情報書込手段と、個体識別子に関連付けられた補正情報を記憶する補正情報管理手段とを備えた生産管理システムであって、前記補正情報作成手段が、前記調整対象製品についての個体識別子を特定する手段と、前記調整対象製品の特性情報を取得する手段と、前記特性情報に対応した補正情報を、前記調整対象製品の個体識別子に関連付けて補正情報管理手段に記録する手段とを備え、前記補正情報書込手段が、前記調整対象製品についての個体識別子を特定する手段と、前記補正情報管理手段から、前記個体識別子に関連付けられた補正情報を取得し、前記調整対象製品のメモリに書き込む手段とを備えたことを要旨とする。
【０００７】
請求項２に記載の発明は、請求項１に記載の生産管理システムにおいて、前記補正情報作成手段が、前記調整対象製品に対して個体識別子を付与し、前記調整対象製品のメモリ
に書き込むことにより、調整対象製品についての個体識別子を特定し、前記補正情報書込手段が、前記調整対象製品のメモリから個体識別子を取得することにより、調整対象製品についての個体識別子を特定することを要旨とする。
【０００８】
請求項３に記載の発明は、請求項２に記載の生産管理システムにおいて、前記補正情報書込手段が、固有識別子がメモリに記録されていない調整対象製品を検知した場合には、アラームを出力することを要旨とする。
【０００９】
請求項４に記載の発明は、請求項１〜３のいずれか一つに記載の生産管理システムにおいて、前記補正情報管理手段は、個体識別子に対して、補正情報の書込済情報を更に記憶し、前記補正情報書込手段が、調整対象製品に補正情報を書き込んだ場合には、この調整対象製品の個体識別子に対して書込済情報を前記補正情報管理手段に記録し、新たな調整対象製品のメモリから、前記補正情報管理手段において書込済情報が付与された個体識別子を取得した場合には、アラームを出力することを要旨とする。
【００１０】
請求項５に記載の発明は、請求項４に記載の生産管理システムにおいて、前記補正情報管理手段は、補正情報の登録時刻を更に記憶し、前記補正情報管理手段が、補正情報の書込実績が登録されない個体識別子についての登録時刻からの経過時間を算出し、前記経過時間が基準時間を越えた個体識別子を抽出した場合には、アラームを出力することを要旨とする。
【００１１】
請求項６に記載の発明は、個体識別子に関連付けられた補正情報を記憶する補正情報管理手段と、調整対象製品についての補正情報を作成する補正情報作成手段と、前記補正情報を、調整対象製品に書き込む補正情報書込手段とを備えた生産管理システムを用いて、生産管理を行なう方法であって、前記補正情報作成手段が、前記調整対象製品についての個体識別子を特定する段階と、前記調整対象製品の特性情報を取得する段階と、前記特性情報に対応した補正情報を、前記調整対象製品の個体識別子に関連付けて補正情報管理手段に記録する段階とを実行し、前記補正情報書込手段が、前記調整対象製品についての個体識別子を特定する手段と、前記補正情報管理手段から、前記個体識別子に関連付けられた補正情報を取得し、前記調整対象製品のメモリに書き込む手段とを実行することを要旨とする。
【００１２】
（作用）
請求項１又は６に記載の発明によれば、補正情報作成手段が、調整対象製品についての個体識別子を特定し、調整対象製品の特性情報を取得し、特性情報に対応した補正情報を、調整対象製品の個体識別子に関連付けて補正情報管理手段に記録する。また、補正情報書込手段が、調整対象製品についての個体識別子を特定し、補正情報管理手段から、個体識別子に関連付けられた補正情報を取得し、調整対象製品のメモリに書き込む。これにより、補正情報の作成処理と補正情報の書込処理とを分けて行なうことができる。従って、各処理時間が異なる場合にも、時間調整を行なうことにより、生産性を向上させることができる。また、二つの処理を、異なる場所で並行して処理することができるため、生産ラインの設計の自由度を高めることができる。
【００１３】
請求項２に記載の発明によれば、補正情報作成手段が、調整対象製品に対して個体識別子を付与し、調整対象製品のメモリに書き込む。また、補正情報書込手段が、調整対象製品のメモリから個体識別子を取得する。これにより、調整対象製品のメモリを用いて、各調整対象製品の個体識別子を特定することができる。
【００１４】
請求項３に記載の発明によれば、補正情報書込手段が、固有識別子がメモリに記録されていない調整対象製品を検知した場合には、アラームを出力する。これにより、調整対象
製品の特性情報の取得漏れを抑制することができる。
【００１５】
請求項４に記載の発明によれば、補正情報書込手段が、調整対象製品に補正情報を書き込んだ場合には、この調整対象製品の個体識別子に対して書込済情報を補正情報管理手段に記録する。そして、新たな調整対象製品のメモリから、補正情報管理手段において書込済情報が付与された個体識別子を取得した場合には、アラームを出力する。これにより、補正情報の再書込を抑制することができる。
【００１６】
請求項５に記載の発明によれば、補正情報管理手段が、補正情報の書込実績が登録されない個体識別子についての登録時刻からの経過時間を算出し、経過時間が基準時間を越えた個体識別子を抽出した場合には、アラームを出力する。これにより、補正情報の書込漏れを抑制することができる。
【発明の効果】
【００１７】
本発明によれば、製品の生産ラインにおいて、生産性の向上を図るための生産管理システム及び生産管理方法を提供することができる。
【図面の簡単な説明】
【００１８】
【図１】本発明の生産管理システムの説明図。
【図２】本発明の処理手順の説明図。
【図３】本発明の処理手順の説明図。
【図４】本発明の液晶パネルにおける表示処理の説明図。
【発明を実施するための形態】
【００１９】
以下、本発明の生産管理システム及び生産管理方法について説明する。本実施形態では、調整対象の表示パネルの表示むら（輝度むら）を抑制して画質を改善する場合を想定する。なお、本実施形態では、調整対象製品（表示パネル）として、液晶パネル１０を用いる。
【００２０】
この液晶パネル１０は、透明電極に挟まれた液晶（液晶部）と、背面から液晶を照明するバックライトから構成されている。このため、液晶パネル１０には、液晶部のむらやバックライトの周辺減光が重畳された画像が出力されることになる。
【００２１】
そこで、液晶パネル１０の画質を改善するために、図４に示すように、液晶パネル１０は、供給される画像信号を調整するための補正回路５０を備えている。具体的には、液晶パネル１０に画像を表示するための画像信号（ＲＧＢ信号）は、液晶パネル１０とともに補正回路５０に供給される。
【００２２】
この補正回路５０は、画像補正テーブルを記録するための不揮発性メモリ（ＲＯＭ５１）を備える。
このＲＯＭ５１には、入力された画像信号の信号値を調整するための補正値に関するデータ（画像補正テーブル）が記録される。本実施形態では、基準階調毎に補正値の平面分布が記録される。
【００２３】
この補正回路５０は、図４に示すように、ＲＯＭ５１の他に、選択・補間手段５２、加算手段５３を備える。
選択・補間手段５２は、ＲＯＭ５１に記録された画像補正テーブルを、ＲＧＢ信号毎に参照する。ここでは、選択・補間手段５２は、画像信号の各ＲＧＢ信号値に隣接する二つの基準階調の画像補正テーブルにおいて、画像信号のピクセル位置（ｘｙ座標）を囲む四つのブロック格子点によって決まる補正値（２×４＝８個）を取得する。そして、選択・
補間手段５２は、取得した補正値について、画像信号の信号値と各格子点との距離に応じて線形補間を行なう。
【００２４】
そして、加算手段５３は、選択・補間手段５２から取得した補正値を、入力された画像信号に加算する。液晶パネル１０は、この補正された画像信号を取得して、画像を表示する。
【００２５】
この補正値を算出するための生産管理システムは、図１に示すように、補正情報作成手段としての画質調整装置２０、補正情報書込手段としての書込装置３０、補正情報管理手段としての補正情報管理サーバ４０から構成される。本実施形態では、画質調整装置２０は、測定エリアＡ１に設置され、書込装置３０は書込エリアＡ２に設置される。
【００２６】
画質調整装置２０には、撮影カメラ２２、テストパターン発生装置２３、ＲＯＭライタ２４が接続されている。
ここで、撮像手段としての撮影カメラ２２は、液晶パネル１０上に表示された画像を撮影し、出力画像データを画質調整装置２０に供給する。本実施形態では、撮影カメラ２２として、表示パネルの画素サイズよりも小さい領域を解像可能なＣＣＤ素子を備えたモノクロカメラを用いる。そして、液晶パネル１０に表示された画像を撮影する。
【００２７】
信号発生手段としてのテストパターン発生装置２３は、画質調整装置２０からの指示に基づいて、液晶パネル１０にテストパターン信号を供給する。本実施形態では、８ｂｉｔのＲＧＢ信号を液晶パネル１０全面に供給する。
ＲＯＭライタ２４は、画質調整装置２０から取得した個体識別子をＲＯＭ５１に書き込む。
【００２８】
画質調整装置２０は、液晶パネル１０の画質を調整するための補正値を算出する処理を実行するコンピュータ端末である。この画質調整装置２０は、制御部２１を備える。
【００２９】
制御部２１は、制御手段としてのＣＰＵ、ＲＡＭ及びＲＯＭ等を有し、後述する処理（個体識別子を特定する段階、特性情報を取得する段階、補正情報を生成する段階、補正情報を登録する等を含む処理）を行なう。このための補正データ作成プログラムを実行することにより、制御部２１は、個体識別子特定手段、特性情報取得手段、補正情報生成手段、補正情報登録手段として機能する。
【００３０】
個体識別子特定手段は、調整対象製品についての個体識別子を特定する処理を実行する。具体的には、個体識別子を付与し、液晶パネル１０のＲＯＭ５１に書き込む。
特性情報取得手段は、調整対象製品の特性情報を取得する処理を実行する。具体的には、液晶パネル１０に入力する信号を制御するとともに、液晶パネル１０に表示された出力画像データを取得する。
【００３１】
補正情報生成手段は、調整対象製品の特性情報に対応した補正情報を生成する処理を実行する。具体的には、液晶パネル１０に表示された出力画像データに基づいて補正値を算出する。
【００３２】
補正情報登録手段は、調整対象製品の個体識別子に関連付けて補正情報管理手段に記録する処理を実行する。具体的には、算出した補正値により構成された画像補正テーブルを補正情報管理サーバ４０に送信する。
【００３３】
一方、書込装置３０には、ＲＯＭライタ３４が接続されている。このＲＯＭライタ３４は、調整対象の液晶パネル１０のＲＯＭ５１から個体識別子を読み出しとともに、画像補
正テーブルをＲＯＭ５１に書き込む。
【００３４】
書込装置３０は、液晶パネル１０の画質を調整するための補正値を書き込む処理を実行するコンピュータ端末である。この書込装置３０は、制御部３１やディスプレイを備える。このディスプレイは、プロセス上の問題点について、管理者に注意喚起を行なうためのアラーム出力手段として機能する。
【００３５】
制御部３１は、制御手段としてのＣＰＵ、ＲＡＭ及びＲＯＭ等を有し、後述する処理（個体識別子を特定する段階、補正情報を取得する段階、補正情報をメモリに書き込む段階等を含む処理）を行なう。このための書込処理プログラムを実行することにより、制御部２１は、図１に示すように、個体識別子特定手段、補正情報取得手段、補正情報書込手段として機能する。
【００３６】
個体識別子特定手段は、整対象製品についての個体識別子を特定する処理を実行する。具体的には、液晶パネル１０のＲＯＭ５１に書き込まれた個体識別子を取得する。
補正情報取得手段は、補正情報管理手段から、個体識別子に関連付けられた補正情報を取得する処理を実行する。具体的には、補正情報管理サーバ４０から画像補正テーブルを取得する。
【００３７】
補正情報書込手段は、補正情報を調整対象製品のメモリに書き込む処理を実行する。具体的には、補正情報管理サーバ４０から取得した画像補正テーブルを、液晶パネル１０のＲＯＭ５１に書き込む。
【００３８】
また、ＲＯＭライタ２４は、液晶パネル１０のＲＯＭ５１に書き込まれた個体識別子を読み取るとともに、画質調整装置２０から出力される補正データをＲＯＭ５１に書き込む。
【００３９】
補正情報管理サーバ４０は、液晶パネル１０の画質を調整するための補正値を管理するコンピュータシステムである。この補正情報管理サーバ４０は、補正情報記憶部４２を備える。そして、補正情報管理サーバ４０は、後述する補正データの管理処理において、補正情報記憶部４２に記憶された補正データを管理するための基準時間に関するデータを保持している。
【００４０】
補正情報記憶部４２は、各液晶パネル１０の画像を補正するための補正データ（補正情報）を記憶する。この補正データは、画質調整装置２０から画像補正テーブルを取得した場合に登録される。この補正データは、個体識別子、画像補正テーブル、登録時刻、ステータスに関するデータを含んで構成される。
【００４１】
個体識別子データ領域には、各液晶パネル１０を特定するための識別子に関するデータが記録される。
画像補正テーブルデータ領域には、この液晶パネル１０のＲＯＭ５１に書き込む画像補正テーブルが記録される。ここでは、所定の階調毎に表示むらを抑制するための画像補正テーブルが記憶される。
【００４２】
登録時刻データ領域には、この液晶パネル１０の画像補正テーブルが登録された時刻に関するデータが記録される。
ステータスデータ領域には、各液晶パネル１０の調整状況を特定するためのフラグに関するデータが記録される。調整対象の液晶パネル１０のＲＯＭ５１に、この画像補正テーブルを書き込んだ場合には、終了フラグが記録される。
【００４３】
上記のシステムを用いて、液晶パネル１０の生産管理を行なう処理について説明する。ここでは、図２、３を用いて、補正データの生成処理、補正データの書き込み処理、補正データの管理処理の順番に説明する。
【００４４】
（補正データ生成処理）
まず、図２を用いて、補正データ生成処理を説明する。この補正データの生成処理は、測定エリアＡ１に設置された画質調整装置２０を用いて行なわれる。
【００４５】
ここでは、まず、画質調整装置２０の制御部２１は、個体識別子の記録処理を実行する（ステップＳ１−１）。具体的には、制御部２１の個体識別子特定手段が、調整対象の液晶パネル１０を特定するための個体識別子を決定する。そして、個体識別子特定手段は、ＲＯＭライタ２４に、生成した個体識別子を供給する。この場合、ＲＯＭライタ２４は、調整対象の液晶パネル１０のＲＯＭ５１に、個体識別子を書き込む。
【００４６】
次に、画質調整装置２０の制御部２１は、測定処理を実行する（ステップＳ１−２）。具体的には、制御部２１の特性情報取得手段が、テストパターン発生装置２３に対して、調整対象階調の画像出力を行なうためのＲＧＢ信号の出力を指示する。ここでは、調整対象階調において、液晶パネル１０全面に対して、Ｒ信号値、Ｇ信号値、Ｂ信号値が同じ信号（共通する信号値）を用いる。この指示に応じて、テストパターン発生装置２３は、調整対象階調となる８ｂｉｔのＲＧＢ信号を液晶パネル１０に供給する。
【００４７】
そして、液晶パネル１０は、これに応じて調整対象階調のグレー画像を出力する。この場合、液晶においてセルギャップのむらや、バックライトの明るさにむらがある場合には、液晶パネル１０において、これらのむらが重畳された表示むらが生じる。ここで、撮影カメラ２２は、表示むらが重畳された画像を撮影する。
【００４８】
そして、画質調整装置２０の制御部２１は、出力画像の取得処理を実行する。具体的には、制御部２１の特性情報取得手段は、液晶パネル１０を撮影した出力画像データを撮影カメラ２２から取り込む。そして、特性情報取得手段は、この出力画像データを、８×８ピクセルから構成されたブロック毎の輝度分布に変換し、フィルタ手段に供給する。
【００４９】
次に、画質調整装置２０の制御部２１は、フィルタリング処理を実行する。具体的には、制御部２１の特性情報取得手段は、取得した出力画像データに対してバンドパスフィルタリングを行なうことにより、バンドパスデータを算出する。このバンドパスデータは、液晶パネル１０の面内の輝度分布に応じて、低周波成分や高周波成分を除いた分布から構成される。
【００５０】
次に、画質調整装置２０の制御部２１は、補正データの生成処理を実行する（ステップＳ１−３）。具体的には、制御部２１の補正情報生成手段は、バンドパスデータを反転させた画像補正テーブルを生成する。ここでは、具体的には、予め設定された階調（基準階調）毎に、液晶パネル１０上の補正値の分布を算出する。本実施形態では、８ｂｉｔで表現される信号値において所定数（例えば、１０段階）の基準階調を用いる。そして、基準階調に対応した調整対象階調を１段階毎に順次変更し、調整対象階調毎に画像補正テーブルを生成する。更に、補正情報生成手段は、調整を行なった基準階調を特定する識別子に関連付けて画像補正テーブルをメモリに一時記憶する。
【００５１】
次に、画質調整装置２０の制御部２１は、個体識別子に関連付けて補正データの登録処理を実行する（ステップＳ１−４）。具体的には、制御部２１の補正情報登録手段は、すべての基準階調について補正データの算出を終了した場合、生成した画像補正テーブルを、この液晶パネル１０の個体識別子とともに補正情報管理サーバ４０に転送する。この場
合、補正情報管理サーバ４０は、補正情報記憶部４２に、個体識別子に関連付けて画像補正テーブルを記録する。更に、補正情報管理サーバ４０は、システムタイマから取得した現在時刻を登録時刻として記録する。
補正データ生成処理を終えた液晶パネル１０は、所定のタイミングで、測定エリアＡ１から書込エリアＡ２に配送される。
【００５２】
（補正データの書き込み処理）
この処理は、書込エリアＡ２に設置された書込装置３０を用いて行なわれる。測定エリアＡ１から書込エリアＡ２に配送された液晶パネル１０は、ＲＯＭライタ３４に接続される。
【００５３】
この場合、書込装置３０の制御部３１は、個体識別子の読み込み処理を実行する（ステップＳ２−１）。具体的には、液晶パネル１０の接続を検知した場合、制御部３１の個体識別子特定手段は、この液晶パネル１０のＲＯＭ５１に記憶された個体識別子を検索する。
【００５４】
次に、書込装置３０の制御部３１は、測定済みかについての判定処理を実行する（ステップＳ２−２）。具体的には、制御部３１の個体識別子特定手段が、ＲＯＭ５１から個体識別子を取得できた場合には、測定済みと判定する。又、ＲＯＭ５１に個体識別子が記録されていない場合には、未測定と判定する。
【００５５】
ＲＯＭ５１に個体識別子が記録されておらず、未測定と判定した場合（ステップＳ２−２において「ＮＯ」の場合）、書込装置３０の制御部３１は、アラーム処理を実行する（ステップＳ２−３）。具体的には、制御部３１の個体識別子特定手段が、ディスプレイにアラームを出力する。このアラームには、書込エリアＡ２に未測定の液晶パネル１０が紛れ込んでいることを示すメッセージを含める。
【００５６】
一方、ＲＯＭ５１に個体識別子が記録されており、測定済みと判定した場合（ステップＳ２−２において「ＹＥＳ」の場合）、書込装置３０の制御部３１は、補正データの検索処理を実行する（ステップＳ２−４）。具体的には、制御部３１の補正情報取得手段が、補正情報管理サーバ４０の補正情報記憶部４２を用いて、液晶パネル１０のＲＯＭ５１から取得した個体識別子を検索する。
【００５７】
次に、書込装置３０の制御部３１は、未処理の補正データがあるかどうかについての判定処理を実行する（ステップＳ２−５）。具体的には、制御部３１の補正情報書込手段が、補正情報記憶部４２において個体識別子を抽出できない場合には、補正データが登録されていないと判定する。又、個体識別子が記録された補正データを抽出できた場合であっても、終了フラグが記録されている場合には、未処理の補正データが登録されていないと判定する。
【００５８】
未処理の補正データが登録されていない場合（ステップＳ２−５において「ＮＯ」の場合）、書込装置３０の制御部３１は、アラーム処理を実行する（ステップＳ２−３）。具体的には、制御部３１の補正情報書込手段が、ディスプレイにアラームを出力する。このアラームには、補正情報記憶部４２に補正データの登録がないことを示すメッセージを含める。
【００５９】
一方、未処理の補正データが登録されている場合（ステップＳ２−５において「ＹＥＳ」の場合）、書込装置３０の制御部３１は、補正データの取得処理を実行する（ステップＳ２−６）。具体的には、制御部３１の補正情報書込手段が、補正情報管理サーバ４０の補正情報記憶部４２から、個体識別子に関連付けられた画像補正テーブルを取得する。
【００６０】
次に、書込装置３０の制御部３１は、補正データの書き込み処理を実行する（ステップＳ２−７）。具体的には、制御部３１の補正情報書込手段が、ＲＯＭライタ３４に対して、補正情報記憶部４２から抽出した画像補正テーブルを供給する。この場合、ＲＯＭライタ３４は、液晶パネル１０のＲＯＭ５１に画像補正テーブルを書き込む。これにより、ＲＯＭ５１には、基準階調毎に、液晶パネル１０の面内のブロック位置（ｘｙ座標）に対して補正値の分布が記録される。
【００６１】
次に、書込装置３０の制御部３１は、終了フラグの記録処理を実行する（ステップＳ２−８）。具体的には、制御部３１補正情報書込手段が、補正情報管理サーバ４０に対して、個体識別子について補正データの書き込み終了を通知する。この場合、補正情報管理サーバ４０は、補正情報記憶部４２に、個体識別子に関連付けられたステータスデータ領域に終了フラグを記録する。
【００６２】
（補正データの管理処理）
次に、図３を用いて、補正データの管理処理を説明する。本実施形態では、補正情報管理サーバ４０が、補正データの管理処理を実行する。
【００６３】
補正情報管理サーバ４０は、補正データの登録時刻の取得処理を実行する（ステップＳ３−１）。具体的には、補正情報管理サーバ４０は、補正情報記憶部４２において、終了フラグが記録されていない補正データを検索する。このような補正データが記憶されている場合には、補正情報管理サーバ４０は登録時刻を取得する。
【００６４】
次に、補正情報管理サーバ４０は、基準時間以上の時間が経過しているかどうかについての判定処理を実行する（ステップＳ３−２）。具体的には、補正情報管理サーバ４０は、抽出した補正データの登録時刻からの経過時間を算出する。そして、補正情報管理サーバ４０は、算出した経過時間と基準時間とを比較する。
【００６５】
基準時間以上の時間が経過している補正データがない場合（ステップＳ３−２において「ＮＯ」の場合）には、補正データの登録時刻の取得処理（ステップＳ３−１）を継続する。
【００６６】
一方、基準時間以上の時間が経過している補正データが記録されている場合（ステップＳ３−２において「ＹＥＳ」の場合）には、アラーム処理を実行する（ステップＳ３−３）。具体的には、補正情報管理サーバ４０は、ディスプレイにアラームを出力する。このアラームには、使用されていない補正データが補正情報記憶部４２に残っていることを示すメッセージを含める。
【００６７】
本実施形態によれば、以下のような効果を得ることができる。
（１）  本実施形態では、画質調整装置２０は、測定エリアＡ１に設置され、書込装置３０は書込エリアＡ２に設置される。そして、画質調整装置２０の制御部２１は、個体識別子の記録処理（ステップＳ１−１）、測定処理（ステップＳ１−２）、補正データの生成処理（ステップＳ１−３）を実行する。そして、画質調整装置２０の制御部２１は、個体識別子に関連付けて補正データの登録処理を実行する（ステップＳ１−４）。また、書込装置３０の制御部３１は、個体識別子の読み込み処理（ステップＳ２−１）、補正データの取得処理（ステップＳ２−６）、補正データの書き込み処理（ステップＳ２−７）を実行する。これにより、測定と書き込みとを別々に行なうことができる。測定処理、補正データ作成処理、書込処理に必要な所要時間、データの規模により異なるため、同一エリアで一連の作業として行なう場合、生産性を向上させることが困難であった。また、所要時間が同一であっても、サイズ等によって、ライン設計が困難な場合もある。従って、上
記構成により、プロセスの分化、時間管理を効率的に行なうことができる。
【００６８】
（２）  本実施形態では、ＲＯＭ５１に個体識別子が記録されておらず、未測定と判定した場合（ステップＳ２−２において「ＮＯ」の場合）、書込装置３０の制御部３１は、アラーム処理を実行する（ステップＳ２−３）。これにより、測定処理を行なわないで、書込エリアＡ２に配送された液晶パネル１０の存在等のプロセス上の問題点について、管理者に対して注意喚起することができる。
【００６９】
（３）  本実施形態では、未処理の補正データが登録されていない場合（ステップＳ２−５において「ＮＯ」の場合）、書込装置３０の制御部３１は、アラーム処理を実行する（ステップＳ２−３）。これにより、何らかの障害等により、補正データが削除されている場合に注意を喚起することができる。更に、既に補整データが書き込まれた液晶パネル１０の誤配送等のプロセス上の問題点について、管理者に対して注意を喚起することができる。
【００７０】
（４）  本実施形態では、補正情報管理サーバ４０は、補正データの管理処理を実行する。ここでは、基準時間以上の時間が経過している補正データが記録されている場合（ステップＳ３−２において「ＹＥＳ」の場合）には、補正情報管理サーバ４０はアラーム処理を実行する（ステップＳ３−３）。これにより、十分な時間が経過しても、補正データが書き込まれていない場合等のプロセス上の問題点について、管理者に対して注意を喚起することができる。従って、調整漏れの製品の発生を抑制することができる。
【００７１】
また、上記実施形態は以下のように変更してもよい。
・  上記実施形態においては、画質調整装置２０の制御部２１は、個体識別子の記録処理を実行する（ステップＳ１−１）。そして、書込装置３０の制御部３１は、個体識別子の読み込み処理を実行する（ステップＳ２−１）。各液晶パネル１０における個体識別子の付与方法や特定方法は、これに限定されるものではない。例えば、予め液晶パネル１０の測定対象外の領域に、個体識別子を表示したプレートを貼付しておくことも可能である。この場合には、画質調整装置２０や書込装置３０に個体識別子読取装置を接続しておく。例えば、個体識別子読取装置として撮影装置を用いる場合には、プレートの撮影画像に基づいて、文字認識処理（ＯＣＲ）により固体識別子を特定する。又、バーコードや２次元コードを印字したプレートを用いることも可能である。この場合には、個体識別子読取装置としてコードリーダを用いる。又、個体識別子を記憶させた無線タグを、各液晶パネル１０に貼付しておくことも可能である。この場合には、個体識別子読取装置としての無線タグリーダにより、個体識別子を取得することができる。
【００７２】
・  上記実施形態においては、画質調整装置２０の制御部２１が、補正データの生成処理を実行する（ステップＳ１−３）。補正データの生成処理は、他のコンピュータシステム（例えば、補正情報管理サーバ４０）を用いて行なうことも可能である。この場合には、補正データの生成処理も分化して行なわれるので、生産ラインの設計の自由度を高めることができる。
【００７３】
・  上記実施形態においては、補正情報管理サーバ４０に補正情報記憶部４２を設けたが、補正情報記憶部４２を、画質調整装置２０や書込装置３０に設けるようにしてもよい。
【００７４】
・  上記実施形態においては、１台ずつの画質調整装置２０や書込装置３０を用いて説明したが、複数の画質調整装置２０や書込装置３０を併用するようにしてもよい。
【符号の説明】
【００７５】
１０…液晶パネル、２０…画質調整装置、２１…制御部、２２…撮影カメラ、２３…テストパターン発生装置、２４…ＲＯＭライタ、３０…書込装置、３１…制御部、３４…ＲＯＭライタ、４０…補正情報管理サーバ、４２…補正情報記憶部、５０…補正回路、５１…ＲＯＭ。
【図１】
2012053579.tif 000003
【図２】
2012053579.tif 000004
【図３】
2012053579.tif 000005
【図４】
2012053579.tif 000006